(57)【要約】【課題】複数のレーザユニット間隔が変化してもレーザユニットの記録位置ずれを低減。【解決手段】温度検出回路３１が光記録ヘッドＨの近傍温度を検出し、制御手段が検出温度に応じて光記録ヘッドＨを通常の送り速度より速い速度で副走査方向Ｙに移動させ、拡大したレーザチャンネル間ピッチＡ＋Ｘを通常のレーザチャンネル間ピッチＡに見合うように、伸び分Ｘを各レーザチャンネルＣｈ１〜Ｃｈ（Ｎ）の記録ラインＬ１〜Ｌ４に均等分散して各レーザチャンネルＣｈ１〜Ｃｈ（Ｎ）の記録エリア間に記録画像の隙間Ｆを発生させず、狭まったレーザチャンネル間ピッチＡ−Ｘを通常のレーザチャンネル間ピッチＡに見合うように光記録ヘッドＨを通常の送り速度より遅い速度で副走査方向Ｙに移動させ、縮み分Ｘを記録ラインＬ１〜Ｌ４に均等分散して各レーザチャンネルＣｈ１〜Ｃｈ（Ｎ）の記録エリアの最終記録ラインＬ４後の記録画像のオーバーラップ部Ｇを拡散させる。【選択図】図１５
2009104004.tif 000002
【特許請求の範囲】
【請求項１】
画像が記録されるプレートが巻き付けられて装着され且つ回転制御されるドラムと、前記ドラムに対峙して前記プレートに前記画像を記録するための複数のレーザユニットを前記ドラムの軸方向である副走査方向に等間隔に配列し且つ前記副走査方向に移動可能な光記録ヘッドを備え、前記光記録ヘッドを前記副走査方向に移動させると共に、前記ドラムを前記副走査方向に直交する主走査方向に回転させて前記画像を記録する画像記録装置であって、
前記光記録ヘッドの近傍温度を検出する温度検出手段と、前記光記録ヘッドの前記副走査方向への移動速度を前記温度検出手段の検出温度に応じて変える制御手段を有することを特徴とする画像記録装置。
【請求項２】
画像が記録されるプレートが巻き付けられて装着され且つ回転制御されるドラムと、前記ドラムに対峙して前記プレートに前記画像を記録するための複数のレーザユニットを前記ドラムの軸方向である副走査方向に等間隔に配列し且つ前記副走査方向に移動可能な光記録ヘッドと、この光記録ヘッドをねじ送りにより移動させる送りねじ部材を備え、前記送りねじ部材を回転させることで前記光記録ヘッドを前記副走査方向に移動させると共に、前記ドラムを前記副走査方向に直交する主走査方向に回転させて前記画像を記録する画像記録装置であって、
前記光記録ヘッドの近傍温度を検出する温度検出手段と、前記送りねじ部材の回転速度を前記温度検出手段の検出温度に応じて変える制御手段を有することを特徴とする画像記録装置。
【請求項３】
画像が記録されるプレートが巻き付けられて装着され且つ回転制御されるドラムと、前記ドラムに対峙して前記プレートに前記画像を記録するための複数のレーザユニットを前記ドラムの軸方向である副走査方向に等間隔に配列支持する支持部材を有し且つ前記副走査方向に移動可能な光記録ヘッドと、この光記録ヘッドをねじ送りにより移動させる送りねじ部材を備え、前記送りねじ部材を回転させることで前記光記録ヘッドを前記副走査方向に移動させると共に、前記ドラムを前記副走査方向に直交する主走査方向に回転させて前記画像を記録する画像記録装置であって、
前記光記録ヘッドの近傍温度を検出する温度検出手段と、前記支持部材の熱膨張係数が前記送りねじ部材の熱膨張係数より大きい場合、前記温度検出手段の検出温度が、前記レーザユニット間の間隔調整時の環境温度である基準温度より上昇すると前記送りねじ部材の回転速度を速くし、前記検出温度が前記基準温度より低下すると前記送りねじ部材の回転速度を遅くする制御手段を有することを特徴とする画像記録装置。
【請求項４】
画像が記録されるプレートが巻き付けられて装着され且つ回転制御されるドラムと、前記ドラムに対峙して前記プレートに前記画像を記録するための複数のレーザユニットを前記ドラムの軸方向である副走査方向に等間隔に配列支持する支持部材を有し且つ前記副走査方向に移動可能な光記録ヘッドと、この光記録ヘッドをねじ送りにより移動させる送りねじ部材を備え、前記送りねじ部材を回転させることで前記光記録ヘッドを前記副走査方向に移動させると共に、前記ドラムを前記副走査方向に直交する主走査方向に回転させて前記画像を記録する画像記録装置であって、
前記光記録ヘッドの近傍温度を検出する温度検出手段と、前記支持部材の熱膨張係数が前記送りねじ部材の熱膨張係数より小さい場合、前記温度検出手段の検出温度が、前記レーザユニット間の間隔調整時の環境温度である基準温度より上昇すると前記送りねじ部材の回転速度を遅くし、前記検出温度が前記基準温度より低下すると前記送りねじ部材の回転速度を速くする制御手段を有することを特徴とする画像記録装置。
【請求項５】
前記制御手段は、前記プレートに画像を記録する前に前記温度検出手段の検出温度に応じて前記光記録ヘッドの移動速度を決定し、この決定した移動速度で前記プレートに画像を記録することを特徴とする請求項１乃至請求項４の何れかの一に記載の画像記録装置。
【請求項６】
前記制御手段は、前記光記録ヘッドの移動中に前記温度検出手段の検出温度に応じて前記光記録ヘッドの移動速度を決定し、この決定した移動速度で前記プレートに画像を記録することを特徴とする請求項１乃至請求項４の何れかの一に記載の画像記録装置。
【発明の詳細な説明】
【技術分野】
【０００１】
本発明は、プレートにレーザ光を照射して画像記録を行う画像記録装置に関するものである。
【背景技術】
【０００２】
平版印刷用の印刷版を形成するために、表面部に感剤をコーティングしたアルミニウム製のプレート（記録媒体）を外周部に巻き付けて固定したドラムを回転し、このプレートにレーザ光を照射して画像を記録（露光）する装置がある。
【０００３】
このような画像記録装置において、ドラム上に巻き付けられたプレートへの画像の記録は、レーザ光をオン／オフして、必要なパターンを露光することにより行われる。一方、高速に回転するドラムに対して設けられたレーザヘッドを基台のスケール上を移動させることにより、副走査を行っている。
【０００４】
ところで、このような画像記録装置においては、ドラムや基台のスケール等の部品は、画像記録時に画質への影響が少なくなるように構成されると共に、レーザ光の照射位置等を変動分に対応して補正するものがある（特許文献１参照）。
【特許文献１】特開２００２−９８９２５公報
【発明の開示】
【発明が解決しようとする課題】
【０００５】
従来の画像記録装置は、光記録ヘッドを基台のスケール上を移動させる副走査を伴う構成であるが、その副走査移動の距離を少なくするために、光記録ヘッドに組み込まれるレーザユニットの数も増加傾向にある。
【０００６】
そして、近年では、レーザユニットの数の増加により光記録ヘッドが大型化し、レーザユニットを支持する支持部材（記録マガジン）の温度による膨張収縮に伴うレーザユニット間の間隔の変化に伴う記録位置のずれなどが生じるという問題があった。
【０００７】
すなわち、ドラムは、主走査制御手段により主走査方向へ回転され、複数のレーザユニットにより構成された光記録ヘッドは副走査制御手段により副走査方向へ往復動される。ドラムが一回転してプレートを主走査方向に一記録ライン分移動されるたび、副走査制御手段が光記録ヘッドをプレートの副走査方向に所定量だけ移動させ、この動作を繰り返してプレート全体を走査することにより、プレートに画像を形成する。
【０００８】
このように、主走査方向はドラムの回転で、副走査方向は光記録ヘッドの往復動で記録することになる。ドラムが１回転すると、その後、次の記録ラインまで、光記録ヘッドが副走査方向に動き、それで、二つ目の記録ライン（２周目）を描いていく。現在の画像記録装置では、ドラムが例えば、１５０周回って、プレート１枚の記録を終了するようになっている。従って、この場合、光記録ヘッドのレーザユニットのレーザチャンネルＣｈの数が５１６チャンネルあり、記録ライン数でいくと、５１６ライン×１５０周の記録ラインを描くようになっている。
【０００９】
図１３（図１３では説明を簡単にするためにレーザチャンネルＣｈの一部を図示し、さらにドラムの回転を１５０周ではなく４周として説明している）に示すように、環境温度が上昇した場合に温度変化により光記録ヘッドの記録マガジンが膨張すると、レーザユニットのレーザチャンネル間ピッチＡがＡ＋Ｘ（Ｘはレーザチャンネル間の伸び）に拡大する。この場合、ドラムが４周し、それに伴ってレーザユニットが副走査方向へ動いても次のレーザユニットのレーザチャンネルＣｈ（Ｎ＋１）が受け持つところまで到達できなく、各レーザチャンネルＣｈ１，Ｃｈ２，Ｃｈ３，・・・Ｃｈ（Ｎ）の記録エリアの最終記録ラインＬ４後に、記録位置のずれである記録画像の隙間Ｆが発生するようになる。図１３の例では記録エリアは四つの記録ラインＬ１〜Ｌ４を有することから、記録画像の隙間Ｆは四つの記録ラインＬ１〜Ｌ４毎に発生することになる。これらの記録画像の隙間Ｆの発生によりプレートに形成された画像に、他に比べて薄い部分（乱れ）が出てしまうという問題点があった。
【００１０】
また、逆の場合は、すなわち、環境温度が低下した場合には、温度変化により記録マガジンが縮むので、図１４に示すように、レーザチャンネル間ピッチＡがＡ−Ｘに狭まる。この場合、各レーザチャンネルＣｈ１，Ｃｈ２，Ｃｈ３，・・・Ｃｈ（Ｎ）の記録エリアの最終記録ラインＬ４後に、記録位置のずれである記録画像のオーバーラップ部Ｇが発生する。図１４の例では記録エリアは四つの記録ラインＬ１〜Ｌ４を有することから、記録画像のオーバーラップ部Ｇは４つの記録ラインＬ１〜Ｌ４毎に発生することになる。これらの記録画像のオーバーラップ部Ｇの発生によりプレートに形成された画像に、他に比べて濃い部分（乱れ）が出てしまうという問題点があった。
【００１１】
本発明は、このような問題点を解決するものであって、その目的とするところは、複数のレーザユニットの間隔（レーザチャンネル間ピッチ）が変化しても、レーザユニットの記録位置のずれである記録画像の隙間Ｆや、記録画像のオーバーラップ部Ｇの発生を抑えて記録画像の乱れを軽減することができる画像記録装置を提供することである。
【課題を解決するための手段】
【００１２】
本発明の画像記録装置は、画像が記録されるプレートが巻き付けられて装着され且つ回転制御されるドラムと、ドラムに対峙してプレートに画像を記録するための複数のレーザユニットをドラムの軸方向である副走査方向に等間隔に配列し且つ副走査方向に移動可能な光記録ヘッドを備え、光記録ヘッドを副走査方向に移動させると共に、ドラムを副走査方向に直交する主走査方向に回転させて画像を記録する画像記録装置であって、光記録ヘッドの近傍温度を検出する温度検出手段と、光記録ヘッドの副走査方向への移動速度を温度検出手段の検出温度に応じて変える制御手段を有するものである。
【発明の効果】
【００１３】
本発明の画像記録装置によれば、複数のレーザユニットの間隔（レーザチャンネル間ピッチ）が変化しても、レーザユニットの記録位置のずれである記録画像の隙間Ｆや、記録画像のオーバーラップ部Ｇの発生を抑えて記録画像の乱れを軽減することができる。
【発明を実施するための最良の形態】
【００１４】
請求項１に記載の本発明に係る画像記録装置は、画像が記録されるプレートが巻き付けられて装着され且つ回転制御されるドラムと、ドラムに対峙してプレートに画像を記録するための複数のレーザユニットをドラムの軸方向である副走査方向に等間隔に配列し且つ副走査方向に移動可能な光記録ヘッドを備え、光記録ヘッドを副走査方向に移動させると共に、ドラムを副走査方向に直交する主走査方向に回転させて画像を記録する画像記録装置であって、光記録ヘッドの近傍温度を検出する温度検出手段と、光記録ヘッドの副走査方向への移動速度を温度検出手段の検出温度に応じて変える制御手段を有するものである。
【００１５】
前記構成により、温度検出手段が光記録ヘッドの近傍温度を検出して、制御手段が、温度検出手段の検出温度に応じて光記録ヘッドの副走査方向への移動速度を変えることができるために、温度変化によりレーザユニット間ピッチが拡大すると、光記録ヘッドを、通常の送り速度より速い速度で副走査方向に移動させて、一記録ライン当りのピッチ量を増やすことで、伸び分を各レーザユニットの記録エリアの記録ラインに均等に分散して最終記録ライン後の記録画像の隙間をなくすことにより、記録画像の隙間の発生を抑えることができる。
【００１６】
また、温度変化によりレーザユニット間ピッチが狭まると、光記録ヘッドを、通常の送り速度より遅い速度で副走査方向に移動させて、一記録ライン当りのピッチ量を減らすことで、縮み分を各レーザユニットの記録エリアの記録ラインに均等に分散して最終記録ライン後の記録画像のオーバーラップ部をなくすことにより、記録画像のオーバーラップ部の発生を抑えることができる。
【００１７】
このために、複数のレーザユニットの間隔（レーザチャンネル間ピッチ）が変化しても、レーザユニットの記録位置のずれである記録画像の隙間や、記録画像のオーバーラップ部の発生を抑えて記録画像の乱れを軽減することができる。
【００１８】
また、請求項２に記載の本発明に係る画像記録装置は、画像が記録されるプレートが巻き付けられて装着され且つ回転制御されるドラムと、ドラムに対峙してプレートに画像を記録するための複数のレーザユニットをドラムの軸方向である副走査方向に等間隔に配列し且つ副走査方向に移動可能な光記録ヘッドと、この光記録ヘッドをねじ送りにより移動させる送りねじ部材を備え、送りねじ部材を回転させることで光記録ヘッドを副走査方向に移動させると共に、ドラムを副走査方向に直交する主走査方向に回転させて画像を記録する画像記録装置であって、光記録ヘッドの近傍温度を検出する温度検出手段と、送りねじ部材の回転速度を温度検出手段の検出温度に応じて変える制御手段を有するものである。
【００１９】
前記構成により、温度検出手段が光記録ヘッドの近傍温度を検出して、制御手段は、温度検出手段の検出温度に応じて送りねじ部材の回転速度を変えて光記録ヘッドの副走査方向への移動速度を変えることができる。
【００２０】
すなわち、温度変化によりレーザユニット間ピッチが狭まったり、送りねじ部材が伸びれば、送りねじ部材の回転速度を遅くする制御が行なわれ、狭まったレーザユニット間ピッチや、伸びた送りねじ部材に見合うように、送りねじ部材の回転速度を遅くして記録画像のオーバーラップ部の発生を抑えることができる。
【００２１】
また、温度変化によりレーザユニット間ピッチが拡がったり、送りねじ部材が縮まれば、送りねじの回転速度を速くする制御が行なわれ、拡大したレーザユニット間ピッチや、縮んだ送りねじ部材に見合うように、送りねじ部材の回転速度を遅くして記録画像の隙間の発生を抑えることができる。
【００２２】
このために、複数のレーザユニットの間隔（レーザチャンネル間ピッチ）やボールねじのねじピッチが変化しても、レーザユニットの記録位置のずれである記録画像の隙間や、記録画像のオーバーラップ部の発生を抑えて記録画像の乱れを軽減することができる。
【００２３】
また、請求項３に記載の本発明に係る画像記録装置は、画像が記録されるプレートが巻き付けられて装着され且つ回転制御されるドラムと、ドラムに対峙してプレートに画像を記録するための複数のレーザユニットをドラムの軸方向である副走査方向に等間隔に配列支持する支持部材を有し且つ副走査方向に移動可能な光記録ヘッドと、この光記録ヘッドをねじ送りにより移動させる送りねじ部材を備え、送りねじ部材を回転させることで光記録ヘッドを副走査方向に移動させると共に、ドラムを副走査方向に直交する主走査方向に回転させて画像を記録する画像記録装置であって、光記録ヘッドの近傍温度を検出する温度検出手段と、支持部材の熱膨張係数が送りねじ部材の熱膨張係数より大きい場合、温度検出手段の検出温度がレーザユニット間の間隔調整時の環境温度である基準温度より上昇すると送りねじ部材の回転速度を速くし、検出温度が基準温度より低下すると送りねじ部材の回転速度を遅くする制御手段を有するものである。
【００２４】
前記構成により、温度検出手段が光記録ヘッドの近傍温度を検出して、制御手段が、支持部材の熱膨張係数が送りねじ部材の熱膨張係数より大きい場合、温度検出手段の検出温度が基準温度より上昇すると送りねじ部材の回転速度を速くし、検出温度が基準温度より低下すると送りねじ部材の回転速度を遅くするように、温度検出手段の検出温度に応じて送りねじ部材の回転速度を変えて光記録ヘッドの副走査方向への移動速度を変えることができる。
【００２５】
すなわち、温度の上昇により、レーザユニット間ピッチの拡大が、送りねじ部材の伸びより大きくなれば、送りねじ部材の回転速度を速くする制御が行なわれ、レーザユニット間ピッチの拡大と送りねじ部材の伸びの差に見合うように、送りねじ部材の回転速度を速くして記録画像の隙間の発生を抑えることができる。
【００２６】
また、温度の低下により、レーザユニット間ピッチの狭まりが、送りねじ部材の縮みより大きくなれば、送りねじの回転速度を遅くする制御が行なわれ、レーザユニット間ピッチの狭まりと送りねじ部材の縮みの差に見合うように、送りねじ部材の回転速度を遅くして記録画像のオーバーラップ部の発生を抑えることができる。
【００２７】
このために、複数のレーザユニットの間隔（レーザチャンネル間ピッチ）が変化しても、レーザユニットの記録位置のずれである記録画像の隙間や、記録画像のオーバーラップ部の発生を抑えて記録画像の乱れを軽減することができる。
【００２８】
また、請求項４に記載の本発明に係る画像記録装置は、画像が記録されるプレートが巻き付けられて装着され且つ回転制御されるドラムと、ドラムに対峙してプレートに画像を記録するための複数のレーザユニットをドラムの軸方向である副走査方向に等間隔に配列支持する支持部材を有し且つ副走査方向に移動可能な光記録ヘッドと、この光記録ヘッドをねじ送りにより移動させる送りねじ部材を備え、送りねじ部材を回転させることで光記録ヘッドを副走査方向に移動させると共に、ドラムを副走査方向に直交する主走査方向に回転させて画像を記録する画像記録装置であって、光記録ヘッドの近傍温度を検出する温度検出手段と、支持部材の熱膨張係数が送りねじ部材の熱膨張係数より小さい場合、温度検出手段の検出温度がレーザユニット間の間隔調整時の環境温度である基準温度より上昇すると送りねじ部材の回転速度を遅くし、検出温度が基準温度より低下すると送りねじ部材の回転速度を速くする制御手段を有するものである。
【００２９】
前記構成により、温度検出手段が光記録ヘッドの近傍温度を検出して、制御手段が支持部材の熱膨張係数が送りねじ部材の熱膨張係数より小さい場合、温度検出手段の検出温度が基準温度より上昇すると送りねじ部材の回転速度を遅くし、温度検出手段の検出温度が基準温度より低下すると送りねじ部材の回転速度を速くするように、温度検出手段の検出温度に応じて送りねじ部材の回転速度を変えて光記録ヘッドの副走査方向への移動速度を変えることができる。
【００３０】
すなわち、温度の上昇により、レーザユニット間ピッチの拡大が、送りねじ部材の伸びより小さければ、送りねじ部材の回転速度を遅くする制御が行なわれ、レーザユニット間ピッチの拡大と送りねじ部材の伸びの差に見合うように、送りねじ部材の回転速度を遅くして記録画像のオーバーラップ部の発生を抑えることができる。
【００３１】
また、温度の低下により、レーザユニット間ピッチの狭まりが、送りねじ部材の縮みより小さければ、送りねじの回転速度を速くする制御が行なわれ、レーザユニット間ピッチの狭まりと送りねじ部材の縮みの差に見合うように、送りねじ部材の回転速度を速くして記録画像の隙間の発生を抑えることができる。
【００３２】
このために、複数のレーザユニットの間隔（レーザチャンネル間ピッチ）が変化しても、レーザユニットの記録位置のずれである記録画像の隙間や、記録画像のオーバーラップ部の発生を抑えて記録画像の乱れを軽減することができる。
【００３３】
また、請求項５に記載の本発明に係る画像記録装置は、請求項１乃至請求項４の何れかの一に記載の画像記録装置において、制御手段は、プレートに画像を記録する前に温度検出手段の検出温度に応じて光記録ヘッドの移動速度を決定し、この決定した移動速度でプレートに画像を記録するものである。
【００３４】
前記構成により、最初に温度検出手段で光記録ヘッドの近傍温度を検出し、制御手段により光記録ヘッドの移動速度を決定し、この初期段階の決定条件で記録処理を行なうことができる。
【００３５】
この場合、初期段階の決定条件に合わせて、例えば、温度変化によりレーザユニット間ピッチが拡大していると、光記録ヘッドを、通常の送り速度より速い速度で副走査方向に移動させて、一記録ライン当りのピッチ量を増やすことで、伸び分を各レーザユニットの記録エリアの記録ラインに均等に分散して最終記録ライン後の記録画像の隙間をなくすことにより、記録画像の隙間の発生を抑えることができる。
【００３６】
また、例えば、温度変化によりレーザユニット間ピッチが狭まっていると、光記録ヘッドを、通常の送り速度より遅い速度で副走査方向に移動させて、一記録ライン当りのピッチ量を減らすことで、縮み分を各レーザユニットの記録エリアの記録ラインに均等に分散して最終記録ライン後の記録画像のオーバーラップ部をなくすことにより、記録画像のオーバーラップ部の発生を抑えることができる。
【００３７】
このために、複数のレーザユニットの間隔（レーザチャンネル間ピッチ）が変化しても、レーザユニットの記録位置のずれである記録画像の隙間や、記録画像のオーバーラップ部の発生を抑えて記録画像の乱れを軽減することができる。
【００３８】
また、請求項６に記載の本発明に係る画像記録装置は、請求項１乃至請求項４の何れかの一に記載の画像記録装置において、制御手段は光記録ヘッドの移動中に温度検出手段の検出温度に応じて光記録ヘッドの移動速度を決定し、この決定した移動速度でプレートに画像を記録するものである。
【００３９】
前記構成により、光記録ヘッドの移動中に、温度検出手段は光記録ヘッドの近傍温度を検出して、制御手段が、温度検出手段の検出温度に応じて光記録ヘッドの副走査方向への移動速度を変えることができる。
【００４０】
したがって、光記録ヘッドの移動中に、例えば、温度変化によりレーザユニット間ピッチが拡大すると、光記録ヘッドを、通常の送り速度より速い速度で副走査方向に移動させて、一記録ライン当りのピッチ量を増やすことで、伸び分を各レーザユニットの記録エリアの記録ラインに均等に分散して最終記録ライン後の記録画像の隙間をなくすことにより、記録画像の隙間の発生を抑えることができる。
【００４１】
また、例えば、温度変化によりレーザユニット間ピッチが狭まると、光記録ヘッドを、通常の送り速度より遅い速度で副走査方向に移動させて、一記録ライン当りのピッチ量を減らすことで、縮み分を各レーザユニットの記録エリアの記録ラインに均等に分散して最終記録ライン後の記録画像のオーバーラップ部をなくすことにより、記録画像のオーバーラップ部の発生を抑えることができる。
【００４２】
このために、複数のレーザユニットの間隔（レーザチャンネル間ピッチ）が変化しても、レーザユニットの記録位置のずれである記録画像の隙間や、記録画像のオーバーラップ部の発生を抑えて記録画像の乱れを軽減することができる。
【００４３】
以下、本発明に係る画像記録装置の実施の態様を、図面を参照して説明する。
【００４４】
図１は本発明に係る画像記録装置の正面図、図２は同画像記録装置の一部省略した斜視図、図３は同画像記録装置における光記録ヘッドのユニット本体の斜視図、図４は同ユニット本体の正面図、図５は同ユニット本体に設けられたレーザユニットの配列を示す説明図、図６は同ユニット本体を複数配列した状態の正面図、図７は同光記録ヘッドの側面図、図８は図７のＤ−Ｄ線に沿う拡大断面図、図９は同ユニット本体とドラムの位置関係の説明図、図１０は本発明に係る画像記録装置の画像記録制御手段のブロック図である。
【００４５】
図１に示すように、本発明に係る画像記録装置はドラム５と光記録ヘッドＨを備えており、ドラム５の表面には、光記録ヘッドＨにより画像を記録する記録媒体であるプレート４が巻き付けて装着してある。プレート４は、印刷物を印刷する際の印刷原版に使用するもので、ベースとなるアルミ基材の表面に、例えば感光層を塗布した板状である。ドラム５は主走査モータ６により主走査方向Ｘへ回転駆動されるものである。このプレート４は図１に示すようにドラム５に１枚巻き付けて装着しても良いし、図２に示すようにドラム５に２枚巻き付けて装着することもできる。
【００４６】
また、図３に示すように、光記録ヘッドＨはユニット本体１を備えており、このユニット本体１は、多数のレーザユニット２を配列支持する支持部材である記録マガジン３を有している。この記録マガジン３には、図４に示すように副走査方向Ｙと平行する列Ｒに、複数本のレーザユニット２が配列され、主走査方向Ｘに例えば５段（Ｒ１〜Ｒ５）設けてある。
【００４７】
そして、図５に示すように、各列Ｒに配列したレーザユニット２を各列Ｒ１〜Ｒ５毎に副走査方向Ｙにずらしている。すなわち第１列目のＲ１の端部にあるレーザユニット２を記録レーザチャンネルＣｈ１としたら、記録レーザチャンネルＣｈ２を２列Ｒ２に配置し、記録レーザチャンネルＣｈ１と記録レーザチャンネルＣｈ２のピッチをレーザチャンネル間ピッチ（μｍ）としている。以下各列Ｒ１〜Ｒ５毎にレーザチャンネル間ピッチずつ記録レーザチャンネルＣｈ３、記録レーザチャンネルＣｈ４、記録レーザチャンネルＣｈ５とずらしたら、記録レーザチャンネルＣｈ６を第１列Ｒ１に設けている。
【００４８】
これによって第１列Ｒ１に配置されるレーザユニット２の隣接ピッチ（実配列ピッチ）は、同じ列に並べる場合のほぼ５倍となるために、図８に示すレーザユニット２のケース２ａ同士が互いに干渉せずに記録マガジン３に配列可能になる。そして、図２に示すように、光記録ヘッドＨでは、高解像度の画像を高速でプレート４に記録するために、ユニット本体１を４個、ユニットＵ１，Ｕ２，Ｕ３、Ｕ４として副走査方向Ｙに連結し、且つマガジンベース８に搭載して使用している。
【００４９】
そして、図１に示すように、副走査部では、マガジンベース８には、雌ねじ孔（図示せず）を有するスライドブロック３２が装着してあり、この雌ねじ孔に、副走査モータ（マガジン送りモータ）７で回転する送りねじ部材であるボールねじ３３が螺合している。したがって、副走査モータ７の正逆回転駆動によりボールねじ３３を正逆回転させることで、マガジンベース８が主走査方向Ｘと直交する副走査方向Ｙへ往復動し、これにより光記録ヘッドＨは、副走査モータ７により副走査方向Ｙへ往復動するようにしてある。
【００５０】
レーザユニット２は、図７に示すように記録マガジン３に配設され、それぞれのレーザユニット２は、図８に示すように、筒状のケース２ａに設けられたレーザパッケージ１２と、このレーザパッケージ１２より射出されたレーザ光をレーザビーム１２ｃとしてプレート４に照射する光学系１３を主構成としている。この光学系１３は、コリメートレンズ９と成形レンズ１０とアパーチャ１１と対物レンズ１８を、この順序にレーザビーム進行方向にケース２ａに配設して構成してある。この場合、アパーチャ１１は、成形レンズ１０により成形されたレーザビーム１２ｃの径を一定にするものである。
【００５１】
このように構成されたレーザユニット２は、記録マガジン３に設けたレーザユニット収容部１５に、押圧付勢ばね１６と共に、収容してあって、レーザユニット２は、押圧付勢ばね１６によりレーザユニット収容部１５の主走査方向Ｘと副走査方向Ｙの二面の基準面１７に押し付けられている。
【００５２】
また、図９は、ユニット本体１とドラム５の位置関係を示すものであり、例えば、５段に設けられたレーザユニット２の中段、すなわち３列目Ｒ３のレーザユニット２の中心とドラム５の中心線を一致させて、３列目Ｒ３のレーザユニット２のレーザビーム１２ｃの焦点１２ｄを、ドラム５に巻き付けられたプレート４の表面に合わせた場合、３列目Ｒ３のレーザユニット２の上下に位置する４列目Ｒ４及び２列目Ｒ２のレーザユニット２のレーザビーム１２ｃの焦点１２ｄと、３列目Ｒ３のレーザユニット２のレーザビーム１２ｃの焦点１２ｄのずれ量Ｓは、ドラム５の半径Ｒが２００ｍｍの場合０．２５ｍｍとなり、３列目Ｒ３のレーザユニット２と、その列以外の列のレーザユニット２の間に焦点ずれが生じてしまう。
【００５３】
これを補正するために、プレート４の接離方向にレーザユニット２を移動させて、各レ−ザユニット２とも、ドラム５の表面のプレート４にレーザビーム１２ｃの焦点１２ｄが合うように焦点調整が行なわれている。そして、全てのレーザユニット２の焦点調整が完了したら、調整位置がずれないように接着等の手段で各レーザユニット２を記録マガジン３に固着してある。
【００５４】
図１０に示すように、画像記録制御手段２０は、上位システム側の画像サーバ２２にインタフェースを介して接続されたインタフェース部２３と、インタフェース部２３の制御信号を受信するシステムコントロール部２４と、主走査モータ６を制御する主走査制御手段である主走査モータドライバー２５と、副走査モータ７を制御する副走査制御手段である副走査モータドライバー２６と、主走査モータドライバー２５及び副走査モータドライバー２６を制御する機構コントロール部２７と、インタフェース部２３からの画像データを記憶する記憶手段であるメモリ（ページメモリもしくは記録レーザチャンネルＣｈ数分のラインメモリ）２８と、このメモリ（ページメモリもしくは記録レーザチャンネルＣｈ数分のラインメモリ）２８から画像データを読み出して画像のライン毎にレーザユニット２を選択する選択手段である信号セレクタ２９と、光記録ヘッドＨの近傍温度を検出する温度検出手段としての温度検出回路３１を備えている。
【００５５】
また、図１１に示すように、主走査モータ６及び副走査モータ７は、それぞれのエンコーダ６Ａ，７Ａによりモータ回転信号が検出されるようにしてある。システムコントロール部２４は、各々のエンコーダーによって、正常回転しているかどうかの監視を実施する、もしくは、例えばサーボ制御のようなフィードバック制御を行う。
【００５６】
また、システムコントロール部２４及び機構コントロール部２７は制御手段であるマイクロコンピュータ３０で構成してあり、このマイクロコンピュータ３０は、信号セレクタ２９により選択した情報に基づき、メモリ２８から個々の画像を呼出して、これらの画像を、それぞれ対応する記録マガジン３の記録レーザチャンネルＣｈに割り当てる割当て手段としての機能と、副走査モータドライバー２６を作動させて記録マガジン３を副走査方向Ｙに移動して、それぞれの記録レーザチャンネルＣｈをそれぞれの書出し位置に移動して、各記録レーザチャンネルＣｈを、それぞれ対応するプレート４の各記録エリアに位置させる書出し位置移動手段としての機能を備えている。
【００５７】
また、マイクロコンピュータ３０は、システムコントロール部２４において温度検出回路３１の検出温度に応じて機構コントロール部２７に指令して副走査モータドライバー（副走査制御手段）２６を制御し、副走査モータ７を回転制御して、光記録ヘッドＨの副走査方向Ｙへの移動速度を変える制御手段を備えている。
【００５８】
この制御手段は、温度検出回路３１の検出温度に応じてボールねじ３３の回転速度を変える制御、複数のレーザユニット２を等間隔に配列支持する支持部材としての記録マガジン３の熱膨張係数がボールねじ３３の熱膨張係数より大きい場合、温度検出回路３１の検出温度が、後述する基準温度より上昇するとボールねじ３３の回転速度を速くし、検出温度が基準温度より低下するとボールねじ３３の回転速度を遅くする制御、記録マガジン３の熱膨張係数がボールねじ３３の熱膨張係数より小さい場合、検出温度が基準温度より上昇するとボールねじ３３の回転速度を遅くし、検出温度が基準温度より低下するとボールねじ３３の回転速度を速くする制御を行なうことができる。
【００５９】
ここで、図１２は、通常時の記録レーザチャンネルＣｈ１，Ｃｈ２，Ｃｈ３，・・・Ｃｈ（Ｎ）のレーザチャンネル間ピッチＡと、記録レーザチャンネルＣｈ１，Ｃｈ２，Ｃｈ３，・・・Ｃｈ（Ｎ）の記録ラインＬ１〜Ｌ４の記録ピッチＰの関係を示している。なお、記録ラインとしてＬ１〜Ｌ４が、レーザユニット２の列として４列が表示してあるが、これは説明を簡単にするためであり、実際には記録ラインは、例えばＬ１〜Ｌ１５０であり、レーザユニット２の列は図５では５列となっている。
【００６０】
そして、例えば、記録マガジン３の材質とボールねじ３３の材質が同じステンレスであるために、記録マガジン３の熱膨張係数がボールねじ３３の熱膨張係数と同じであって、記録マガジン３とボールねじ３３が同じ温度変形をする場合（Ｋ＝Ｍ）には、各記録レーザチャンネルＣｈ１，Ｃｈ２，Ｃｈ３，・・・Ｃｈ（Ｎ）の記録エリアの最終記録ラインＬ４後に記録位置のずれである記録画像の隙間Ｆが発生することがなく、また、各記録レーザチャンネルＣｈ１，Ｃｈ２，Ｃｈ３，・・・Ｃｈ（Ｎ）の記録エリアの最終記録ラインＬ４後に記録位置のずれである記録画像のオーバーラップ部Ｇが発生することはない。
【００６１】
また、ボールねじ３３の熱膨張係数に関係なく、記録マガジン３の熱膨張係数のみに着目して、記録マガジン３が温度変化することがない場合（Ｋ＝０）、また、記録マガジン３の熱膨張係数に関係なく、ボールねじ３３の熱膨張係数のみに着目して、ボールねじ３３が温度変化することがない場合（Ｍ＝０）においても、各記録レーザチャンネルＣｈ１，Ｃｈ２，Ｃｈ３，・・・Ｃｈ（Ｎ）の記録エリア間に記録画像の隙間Ｆが発生することがなく、また、各記録レーザチャンネルＣｈ１，Ｃｈ２，Ｃｈ３，・・・Ｃｈ（Ｎ）の記録エリアの最終記録ラインＬ４後に記録画像のオーバーラップ部Ｇが発生することはない。
【００６２】
ここで、Ｋとは、記録マガジン３の温度変化により記録マガジン３がどれだけ膨張したか、もしくはどれだけ収縮したかを表わす差分（＋Ｋ，−Ｋ）である。例えば、環境温度２５度が基準温度であり、環境温度が２８度になれば、記録マガジン３が所定量（ミクロン）伸びることになり、この伸びた分を＋Ｋ（差分となる）としている。また、環境温度が２３度になれば、記録マガジン３が所定量（ミクロン）収縮することになり、この収縮した分を−Ｋ（差分となる）としている。
【００６３】
ここで、基準温度とは、実際に、通常のレーザチャンネル間ピッチＡ（レーザユニット２間の間隔）を調整したとき（工場渡しの時）の温度をいう。通常、印刷工場の雰囲気温度は２５℃であり、この雰囲気温度の中で組立てを行っているために、この２５℃が基準温度であると設定している。
【００６４】
また、Ｍとは、副走査部の温度変化により副走査部のボールねじ３３（ボールねじ３３のねじピッチ）がどれだけ膨張したか、もしくはどれだけ収縮したかを表わす差分（＋Ｍ，−Ｍ）である。例えば、環境温度２５度が基準温度であれば、環境温度が２８度になれば、副走査部において、ボールねじ３３が所定量（ミクロン）伸びることになり、この伸びた分を＋Ｍ（差分となる）としている。また、環境温度が２３度になれば、ボールねじ３３が所定量（ミクロン）収縮することになり、この収縮した分を−Ｍ（差分となる）としている。
【００６５】
まず、図１３に示すように、記録マガジン３の材質とボールねじ３３の材質が異なり、例えば、記録マガジン３がアルミニウム製であり、ボールねじ３３がステンレス製であって、記録マガジン３の熱膨張係数がボールねじ３３の熱膨張係数と異なる場合、記録ヘッドＨの近傍温度が基準温度より上昇して、記録マガジン３の温度膨張がボールねじ３３の温度膨張より大きい場合（Ｋ＞Ｍ）には、ボールねじ３３のねじピッチの拡大がレーザチャンネル間ピッチの拡大と比較して小さいのに対しレーザチャンネル間ピッチＡがＡ＋Ｘ（Ｘはレーザチャンネル間の伸び）に拡大する。すなわち、環境温度が上昇した場合には温度変化により記録マガジン３が膨張すると、レーザチャンネル間ピッチＡがＡ＋Ｘ（Ｘはレーザチャンネル間の伸び）に拡大する。一方、記録マガジン３の材質とボールねじ３３の材質が異なり、例えば、ボールねじ３３がステンレス製であり、記録マガジン３がガラス製もしくはシリコン製である場合、記録マガジン３の熱膨張係数がボールねじ３３の熱膨張係数と異なり、記録ヘッドＨの近傍温度が基準温度より低下して、記録マガジン３の温度膨張がボールねじ３３の温度膨張より小さい場合（Ｋ＜Ｍ）には、レーザチャンネル間ピッチＡはボールねじ３３のねじピッチの狭まりと比較して小さいが、ボールねじを同じ量回転させてもボールネジ３３のねじピッチが狭まっているためレーザユニット２の副走査方向への移動距離が少なくなり、この移動距離が少なくなることにより、記録ラインＬ１〜Ｌ４の幅が小さくなる。これらの場合、ドラム５が４周し、それにともなってレーザユニットが副走査方向へ動いても次のレーザチャンネルＣｈ（Ｎ＋１）が受け持つところまで到達できなく、各記録レーザチャンネルＣｈ１，Ｃｈ２，Ｃｈ３，・・・Ｃｈ（Ｎ）の記録エリア間に記録画像の隙間Ｆが発生するようになる。図１３の例では記録エリアは４つの記録ラインＬ１〜Ｌ４を有することから、記録画像の隙間Ｆは４つの記録ラインＬ１〜Ｌ４毎に発生することになる。
【００６６】
また、ボールねじ３３の熱膨張係数に関係なく、記録マガジン３の熱膨張係数のみに着目して、記録ヘッドＨの近傍温度が基準温度より上昇して、記録マガジン３の温度が上昇して記録マガジン３が膨張し（Ｋ＞０）、レーザチャンネル間ピッチＡがＡ＋Ｘ（Ｘはレーザチャンネル間の伸び）に拡大した場合には、レーザチャンネル間ピッチＡがＡ＋Ｘ（Ｘはレーザチャンネル間の伸び）に拡大する。一方、記録マガジン３の熱膨張係数に関係なく、ボールねじ３３の熱膨張係数のみに着目して、ボールねじ３３の温度が基準温度より低下しボールねじ３３のねじピッチが狭まった場合（Ｍ＜０）には、レーザチャンネル間ピッチＡは変わらないとした場合、ボールねじを同じ量回転させてもボールネジ３３のねじピッチが狭まっているためレーザユニット２の副走査方向への移動距離が少なくなり、この移動距離が少なくなることにより、記録ラインＬ１〜Ｌ４の幅が小さくなる。これらの場合、ドラム５が４周し、それにともなってレーザユニットが副走査方向へ動いても次のレーザチャンネルＣｈ（Ｎ＋１）が受け持つところまで到達できなく、各記録レーザチャンネルＣｈ１，Ｃｈ２，Ｃｈ３，・・・Ｃｈ（Ｎ）の記録エリア間に記録画像の隙間Ｆが発生するようになる。
【００６７】
次に、図１４に示すように、記録マガジン３の材質とボールねじ３３の材質が異なり、例えば、記録マガジン３がアルミニウム製であり、ボールねじ３３がステンレス製であって、記録マガジン３の熱膨張係数がボールねじ３３の熱膨張係数と異なる場合、記録ヘッドＨの近傍温度が基準温度より低下して、記録マガジン３の温度膨張がボールねじ３３の温度膨張より大きい場合（Ｋ＞Ｍ）には、ボールねじ３３のねじピッチの狭まりがレーザチャンネル間ピッチの狭まりと比較して小さいのに対しレーザチャンネル間ピッチＡがＡ−Ｘに狭まる。一方、記録マガジン３の材質とボールねじ３３の材質が異なり、ボールねじ３３がステンレス製であり、記録マガジン３がガラス製もしくはシリコン製である場合、記録マガジン３の熱膨張係数がボールねじ３３の熱膨張係数と異なり、記録ヘッドＨの近傍温度が基準温度より上昇して、記録マガジン３の温度膨張がボールねじ３３の温度膨張より小さい場合（Ｋ＜Ｍ）には、レーザチャンネル間ピッチＡはボールねじ３３のねじピッチの拡大と比較して小さいが、ボールねじを同じ量回転させてもボールネジ３３のねじピッチが拡大しているためレーザユニット２の副走査方向への移動距離が大きくなり、この移動距離が大きくなることにより、記録ラインＬ１〜Ｌ４の幅が大きくなる。これらの場合、各記録レーザチャンネルＣｈ１，Ｃｈ２，Ｃｈ３，・・・Ｃｈ（Ｎ）の記録エリアの最終記録ラインＬ４後に記録画像のオーバーラップ部Ｇが発生する。図１４の例では記録エリアは４つの記録ラインＬ１〜Ｌ４を有することから、記録画像のオーバーラップ部Ｇは４つの記録ラインＬ１〜Ｌ４毎に発生することになる。
【００６８】
また、記録マガジン３の熱膨張係数に関係なく、ボールねじ３３の熱膨張係数のみに着目して、ボールねじ３３の温度が上昇してねじピッチが拡大した場合（Ｍ＞０）には、ボールねじを同じ量回転させてもボールネジ３３のねじピッチが拡大しているためレーザユニット２の副走査方向への移動距離が大きくなり、この移動距離が大きくなることにより、記録ラインＬ１〜Ｌ４の幅が大きくなる。一方、ボールねじ３３の熱膨張係数に関係なく、記録マガジン３の熱膨張係数のみに着目して、記録ヘッドＨの近傍温度が基準温度より低下して、記録マガジン３の温度が低下し記録マガジン３が収縮した場合（Ｋ＜０）、レーザチャンネル間ピッチＡがＡ−Ｘに狭まる。これらの場合、各記録レーザチャンネルＣｈ１，Ｃｈ２，Ｃｈ３，・・・Ｃｈ（Ｎ）の記録エリアの最終記録ラインＬ４後に記録画像のオーバーラップ部Ｇが発生する。図１４の例では記録エリアは４つの記録ラインＬ１〜Ｌ４を有することから、記録画像のオーバーラップ部Ｇは４つの記録ラインＬ１〜Ｌ４毎に発生することになる。
【００６９】
次に画像記録装置の動作を、図１及び図１１を参照して説明する。プレート４に画像を形成するに当たって、画像データは、画像サーバ２２からインタフェース部２３を介してメモリ（ページメモリまたはラインメモリ）２８に記憶されており、このメモリ（ページメモリまたはラインメモリ）２８から信号セレクタ２９が画像データを読み出して、画像のライン毎にレーザユニット２を選択する。これと同時に、インタフェース部２３より画像信号を入力し、運転を開始すると、ドラム５は、主走査モータドライバー２５により回転が制御される主走査モータ６により主走査方向Ｘへ回転され、複数のユニットＵ１，Ｕ２・・・Ｕｎにより構成された光記録ヘッドＨは、副走査モータドライバー２６により送り速度が制御される副走査モータ７により副走査方向Ｙへ往復動される。
【００７０】
レーザユニット２は、画像信号に応じたレーザビーム１２ｃを発生する。すなわち、レーザチップ１２ａより射出されたレーザ光１２ｂは、光学系１３によりレーザビーム１２ｃとなって、プレート４の表面に集光されて、画像データを基にプレート４に画像が次のように形成される。
【００７１】
プレート４の表面に塗布された感光層は、レーザービーム１２ｃの熱エネルギーにより例えば、プレート４上で重合反応による硬化を起し、硬化した部分以外の感光層は、現像機により洗い流される事によって、（インクが付く）親油性部分と（インクが付かない）親水性部分が形成される。
【００７２】
ドラム５が１回転してプレート４を主走査方向Ｘに一記録ライン分移動されるたび、副走査制御手段７がユニット本体１をプレート４の副走査方向Ｙに所定量だけ移動させ、この動作を繰り返してプレート４全体を走査することにより、プレート４に画像を形成する。
【００７３】
プレート４に形成される画像は、メモリ（ページメモリまたはラインメモリ）２８から読み出され信号セレクタ２９で各レーザユニット２毎に振り分けられ、プレート４に記録する際、レーザユニット２よりプレート４へ向けてレーザビーム１２ｃが照射されるが、常に主走査方向Ｘに対して同じ位置で照射するように制御されている。すなわち、最初に記録を行う列Ｒ１に対し、次の列Ｒ２は予め設定された時間だけ遅らせて照射され、以後の列Ｒ３もそれぞれ設定された時間分最初の列Ｒ１，Ｒ２より遅らせて照射される。
【００７４】
以上のようにしてプレート４の全体に画像を形成することにより、印刷原版を製作するもので、幅の大きい印刷原版に対して、高解像度の画像が高速で記録される。
【００７５】
次に、記録マガジン３及び副走査部のボールねじ３３の温度変化による伸び・縮みをパラメーターとして、副走査制御を行なう制御フローチャートを、図１５を参照して説明する。
【００７６】
処理が開始されると、記録部（記録マガジン３）の温度測定が行なわれる（ステップＳ１）。すなわち、温度検出回路３１により、記録マガジン３の温度が検出されると共に、副走査部のボールねじ３３の温度が検出されて、検出結果がシステムコントロール部２４に送られる。
【００７７】
次に、システムコントロール部２４において、記録マガジン３の検出温度に基づいて、この記録マガジン３の温度変化により記録マガジン３がどれだけ膨張したか、もしくはどれだけ収縮したかを表わす差分Ｋ（＋Ｋ，−Ｋ）が決定される（ステップＳ２）。なお、記録マガジン３が差分（＋Ｋ）だけ伸びれば、記録マガジン３の送りを早くする必要があり、差分（−Ｋ）だけ縮めば記録マガジン３の送りが遅くする必要がある。
【００７８】
次に、システムコントロール部２４において、副走査部の検出温度に基づいて、この副走査部の温度変化により副走査部のボールねじ３３がどれだけ膨張したか、もしくはどれだけ収縮したかを表わす差分Ｍ（＋Ｍ，−Ｍ）が決定される（ステップＳ３）。なお、ボールねじ３３が差分（＋Ｍ）だけ伸びれば、ボールねじ３３の回転を遅くして記録マガジン３の送りをＭ＝０の場合と同じ速度にする必要があり、差分（−Ｍ）だけ縮めばボールねじ３３の回転を速くして記録マガジン３の送りをＭ＝０の場合と同じ速度にする必要がある。環境温度の高低の影響は、記録マガジン３の差分Ｋ（＋Ｋ，−Ｋ）とは逆になる。なお、ボールねじ３３の膨張、収縮はボールねじ３３のねじピッチの拡大、狭まりである。
【００７９】
次に、システムコントロール部２４において、記録マガジン３の差分Ｋ（＋Ｋ，−Ｋ）とボールねじ３３の差分Ｍ（＋Ｍ，−Ｍ）が比較される（ステップＳ４）。そして、比較結果がＬ＝Ｍの場合には、図１２に示すように、各記録レーザチャンネルＣｈ１，Ｃｈ２，Ｃｈ３，・・・Ｃｈ（Ｎ）の記録エリア間に記録画像の隙間Ｆが発生することがなく、また、各記録レーザチャンネルＣｈ１，Ｃｈ２，Ｃｈ３，・・・Ｃｈ（Ｎ）の記録エリアの最終記録ラインＬ４後に記録画像のオーバーラップ部Ｇが発生することはない。したがって、システムコントロール部２４から副走査モータ７の速度補正制御信号ではなく、通常の制御信号が機構コントロール部２７に送られ、機構コントロール部２７は副走査モータ７の速度補正を行なわないことになる（ステップＳ５）。
【００８０】
また、ステップＳ４において、記録マガジン３の差分Ｋ（＋Ｋ，−Ｋ）とボールねじ３３の差分Ｍ（＋Ｍ，−Ｍ）が比較され、この比較結果がＫ＞Ｍの場合には（ステップＳ６）、レーザチャンネル間ピッチの狭まりがねじピッチの狭まりより小さかったり、レーザチャンネル間ピッチの拡大がねじピッチの拡大より大きくなり、例えば温度が上がると図１３に示すように、レーザチャンネル間ピッチＡがＡ＋Ｘ（Ｘは記録レーザチャンネルＣｈ間の伸び）に拡大して、各記録レーザチャンネルＣｈ１，Ｃｈ２，Ｃｈ３，・・・Ｃｈ（Ｎ）の記録エリア間に記録画像の隙間Ｆが発生する。このために、システムコントロール部２４からＫ＞Ｍである制御信号が機構コントロール部２７に送られ、機構コントロール部２７は副走査モータ７の送り速度アップ補正を副走査モータドライバー２６に指令することになる（ステップＳ７）。
【００８１】
また、ステップＳ６において、記録マガジン３の差分Ｋ（＋Ｋ，−Ｋ）とボールねじ３３の差分Ｍ（＋Ｍ，−Ｍ）が比較され、この比較結果がＫ＜Ｍの場合には、レーザチャンネル間ピッチの拡大がねじピッチの拡大より小さかったり、レーザチャンネル間ピッチの狭まりがねじピッチの狭まりより大きくなり、例えば温度が下がると図１４に示すように、レーザチャンネル間ピッチＡがＡ−Ｘに狭まる。この場合、各記録レーザチャンネルＣｈ１，Ｃｈ２，Ｃｈ３，・・・Ｃｈ（Ｎ）の記録エリアの最終記録ラインＬ４後に記録画像のオーバーラップ部Ｇが発生する。このために、システムコントロール部２７からＫ＜Ｍである制御信号が機構コントロール部２７に送られ、機構コントロール部２７は副走査モータ７の送り速度ダウン補正を副走査モータドライバー２６に指令することになる（ステップＳ８）。そして、上記したステップＳ１からステップＳ８に至るフローは処理Ｂ−１を構成している。
【００８２】
ステップＳ５において、通常の制御信号が機構コントロール部２７に送られるために、機構コントロール部２７が副走査モータドライバー２６に駆動信号を出力することにより、この副走査モータドライバー２６が作動して副走査モータ７が起動し、記録マガジン３が副走査方向Ｙに移動して、各記録レーザチャンネルＣｈ１，Ｃｈ２，Ｃｈ３，・・・Ｃｈ（Ｎ）が記録開始位置（書出し位置）に移動する（ステップＳ９）。
【００８３】
次に、機構コントロール部２５が主走査モータドライバー２５に駆動信号を出力することにより、この主走査モータドライバー２５が作動して主走査モータ６が起動し、ドラム５が主走査方向Ｘに回転を開始する（ステップＳ１０）。
【００８４】
次に、機構コントロール部２７が副走査モータドライバー２６に駆動信号を出力することにより、この副走査モータドライバー２６が作動して副走査モータ７が起動し、記録マガジン３が副走査方向Ｙに送りを開始して、各記録レーザチャンネルＣｈ１，Ｃｈ２，Ｃｈ３，・・・Ｃｈ（Ｎ）が移動する（ステップＳ１１）。
【００８５】
各記録レーザチャンネルＣｈ１，Ｃｈ２，Ｃｈ３，・・・Ｃｈ（Ｎ）に対応したレーザユニット２はレーザビーム１２ｃを発生する。すなわち、レーザチップ１２ａより射出されたレーザ光は、光学系１３によりレーザビーム１２ｃとなって、プレート４の表面に集光される。したがって、各記録レーザチャンネルＣｈ１，Ｃｈ２，Ｃｈ３，・・・Ｃｈ（Ｎ）の記録エリアの各記録ラインＬ１〜Ｌ４に記録画像が記録される。
【００８６】
次に、規定ライン全てに記録が行われたか否かが判定され（ステップＳ１２）、判定結果、規定ライン全てに記録が行われた場合には、ドラム５の回転が停止され（ステップＳ１３）、次に、記録マガジン３の副走査方向Ｙへの送りが停止されて（ステップＳ１４）、処理が終了することになる。
【００８７】
なお、ステップＳ１２において、判定結果、規定ライン全てに記録が行われない場合には、再び、上記した処理Ｂ−１が実施され（ステップＳ１５）、再び、規定ライン全てに記録が行われたか否かが判定され（ステップＳ１２）、ステップＳ１３、ステップＳ１４が実行される。制御フローチャートにおける処理Ｂ−１は、画像記録中においても温度測定を行って記録マガジン３の送り量を変えることである。したがって、画像記録途中において温度が変化すると、刻々と間隙Ｆもしくはオーバーラップ部Ｇが変化してきてしまうので、副走査モータ７の送り回転速度を初期設定値より速く、もしくは遅くする処理である。
【００８８】
また、ステップＳ７において、システムコントロール部２４からＫ＞Ｍである制御信号が機構コントロール部２７に送られ、機構コントロール部２７は副走査モータ７の送り速度アップ補正を行う場合には、ステップＳ９からステップＳ１５に至るフローが実行されるが、機構コントロール部２７が副走査モータドライバー２６に送り速度アップの補正をした駆動信号を出力するために、ステップＳ９において、これらの結果を踏まえて、記録開始位置（書出し位置）へ光記録ヘッドＨを移動し、ステップ１１において副走査モータ７の回転を速くする制御が行なわれ、光記録ヘッドＨ（記録マガジン３）の送り速度が速くなる。
【００８９】
したがって、拡大したレーザチャンネル間ピッチＡ＋Ｘである状態を通常のレーザチャンネル間ピッチＡに見合うように、光記録ヘッドＨを、通常の送り速度より速い速度で副走査方向Ｙに移動させて、図１８に示すように、一記録ライン当りのピッチを、補間前のピッチＰから補間後のピッチＰ１にしてピッチ量を増やすことで、図１８の補間後の状態に示すように、伸び分Ｘを各記録レーザチャンネルＣｈ１，Ｃｈ２，Ｃｈ３，・・・Ｃｈ（Ｎ）の記録エリアの記録ラインＬ１〜Ｌ４に均等に分散して最終記録ラインＬ４後の記録画像の隙間Ｆの発生を抑える。
【００９０】
また、ステップＳ８において、システムコントロール部２４からＭ＜Ｌである制御信号が機構コントロール部２７に送られ、機構コントロール部２７は副走査モータ７の送り速度ダウン補正を行う場合には、ステップＳ９からステップＳ１５に至るフローが実行されるが、機構コントロール部２７が副走査モータドライバー２６に送り速度ダウンの補正をした駆動信号を出力するために、ステップＳ９において、これらの結果を踏まえて、記録開始位置（書出し位置）へ光記録ヘッドＨを移動し、ステップ１１において副走査モータ７の回転を遅くする制御が行なわれ、光記録ヘッドＨ（記録マガジン３）の送り速度が遅くなる。
【００９１】
したがって、狭まったレーザチャンネル間ピッチＡ−Ｘである状態を通常のレーザチャンネル間ピッチＡに見合うように、光記録ヘッドＨを、通常の送り速度より遅い速度で副走査方向Ｙに移動させて、図１９に示すように、一記録ライン当りのピッチを、補間前のピッチＰから補間後のピッチＰ２にしてピッチ量を減らすことで、図１９の補間後の状態に示すように、縮み分Ｘを各記録レーザチャンネルＣｈ１，Ｃｈ２，Ｃｈ３，・・・Ｃｈ（Ｎ）の記録エリアの記録ラインＬ１〜Ｌ４に均等に分散して最終記録ラインＬ４後の記録画像のオーバーラップ部Ｇの発生を抑える。
【００９２】
次に、記録マガジン３の温度変化による伸び・縮みをパラメーターとして、副走査制御を行なう制御フローチャートを、図１６を参照して説明する。
【００９３】
処理が開始されると、記録部である記録マガジン３の温度測定が行なわれる（ステップＴ１）。すなわち、温度検出回路３１により記録マガジン３の温度が検出されて、検出結果がシステムコントロール部２４に送られる。
【００９４】
次に、システムコントロール部２４において、記録マガジン３の検出温度に基づいて、この記録マガジン３の温度変化により記録マガジン３がどれだけ膨張したか、もしくはどれだけ収縮したかを表わす差分Ｋが決定される（ステップＴ２）。この場合、記録マガジン３が差分（＋Ｋ）だけ伸びれば記録マガジン３の副走査方向Ｙの送りを早くする必要があり、差分（−Ｋ）だけ縮めば記録マガジン３の副走査方向Ｙの送りを遅くする必要がある。
【００９５】
次に、システムコントロール部２４において、記録マガジン３の差分Ｋが基準温度における記録マガジン３の差分（Ｋ＝０）と比較される（ステップＴ３）。そして、比較結果がＫ＝０の場合には、図１２に示すように、各記録レーザチャンネルＣｈ１，Ｃｈ２，Ｃｈ３，・・・Ｃｈ（Ｎ）の記録エリア間に記録画像の隙間Ｆが発生することがないし、記録画像のオーバーラップ部Ｇが発生することがない。したがって、システムコントロール部２４から副走査モータ７の速度補正制御信号ではなく、通常の制御信号が機構コントロール部２７に送られることになる（ステップＴ４）。
【００９６】
また、ステップＴ３において、比較結果がＫ＞０の場合には（ステップＴ５）、図１３に示すように、レーザチャンネル間ピッチＡがＡ＋Ｘ（Ｘはレーザチャンネル間の伸び）に拡大して、各記録レーザチャンネルＣｈ１，Ｃｈ２，Ｃｈ３，・・・Ｃｈ（Ｎ）の記録エリア間に記録画像の隙間Ｆが発生するようになる。このために、システムコントロール部２４からＫ＞０である制御信号が機構コントロール部２７に送られ、機構コントロール部２７は副走査モータ７の送り速度アップ補正を副走査モータドライバー２６に指令することになる（ステップＴ６）。
【００９７】
また、ステップＴ５において、比較結果がＫ＜０の場合には、図１４に示すように、レーザチャンネル間ピッチＡがＡ−Ｘに狭まる。この場合、各記録レーザチャンネルＣｈ１，Ｃｈ２，Ｃｈ３，・・・Ｃｈ（Ｎ）の記録エリアの最終記録ラインＬ４後に記録画像のオーバーラップ部Ｇが発生する。このために、システムコントロール部２７からＫ＜０である制御信号が機構コントロール部２７に送られ、機構コントロール部２７は副走査モータ７の送り速度ダウン補正を副走査モータドライバー２６に指令することになる（ステップＴ７）。そして、上記したステップＴ１からステップＴ７に至るフローは処理Ｂ−２を構成している。
【００９８】
ステップＴ４において、通常の制御信号が機構コントロール部２７に送られるために、機構コントロール部２５が副走査モータドライバー２６に駆動信号を出力することにより、この副走査モータドライバー２６が作動して副走査モータ７が起動し、記録マガジン３が副走査方向Ｙに移動して、各記録レーザチャンネルＣｈ１，Ｃｈ２，Ｃｈ３，・・・Ｃｈ（Ｎ）が記録開始位置（書出し位置）に移動する（ステップＴ８）。
【００９９】
次に、機構コントロール部２５が主走査モータドライバー２５に駆動信号を出力することにより、この主走査モータドライバー２５が作動して主走査モータ６が起動し、ドラム５が主走査方向Ｘに回転を開始する（ステップＴ９）。
【０１００】
次に、機構コントロール部２７が副走査モータドライバー２６に駆動信号を出力することにより、この副走査モータドライバー２６が作動して副走査モータ７が起動し、記録マガジン３が副走査方向Ｙに送りを開始して、各記録レーザチャンネルＣｈ１，Ｃｈ２，Ｃｈ３，・・・Ｃｈ（Ｎ）が移動する（ステップＴ１０）。
【０１０１】
各記録レーザチャンネルＣｈ１，Ｃｈ２，Ｃｈ３，・・・Ｃｈ（Ｎ）に対応したレーザユニット２はレーザビーム１２ｃを発生する。すなわち、レーザチップ１２ａより射出されたレーザ光は、光学系１３によりレーザビーム１２ｃとなって、プレート４の表面に集光される。したがって、の記録エリアの各記録ラインＬ１〜Ｌ４に記録画像が記録される。
【０１０２】
次に、規定ライン全てに記録が行われたか否かが判定され（ステップＴ１１）、判定結果、規定ライン全てに記録が行われた場合には、ドラム５の回転が停止され（ステップＴＴ１２）、次に、記録マガジン３の副走査方向Ｙへの送りが停止されて（ステップＴ１３）、処理が終了することになる。
【０１０３】
なお、ステップＴ１１において、判定結果、規定ライン全てに記録が行われない場合には、再び、上記した処理Ｂ−２が実施されることになる（ステップＴ１４）。すなわち、記録中に記録マガジン３の温度検出が行なわれて、記録マガジン３の温度変化による差分Ｋ（＋Ｋ１，−Ｋ１）の計算を行い、副走査モータ７の速度制御が行なわれる。この処理Ｂ−１が実施され、再び、規定ライン全てに記録が行われたか否かが判定され（ステップＴ１１）、ステップＴ１２、ステップＴ１３が実行される。
【０１０４】
また、ステップＴ６において、システムコントロール部２４からＫ＞０である制御信号が機構コントロール部２７に送られ、機構コントロール部２７は副走査モータ７の送り速度アップ補正を行う場合には、ステップＴ８からステップＴ１４に至るフローが実行されるが、機構コントロール部２７が副走査モータドライバー２６に送り速度アップの補正をした駆動信号を出力するために、ステップＴ８において、これらの結果を踏まえて、記録開始位置（書出し位置）へ光記録ヘッドＨを移動し、ステップＴ１０において副走査モータ７の回転を速くする制御が行なわれ、光記録ヘッドＨ（記録マガジン３）の送り速度が速くなる。
【０１０５】
したがって、拡大したレーザチャンネル間ピッチＡ＋Ｘである状態を通常のレーザチャンネル間ピッチＡに見合うように、光記録ヘッドＨを、通常の送り速度より速い速度で副走査方向Ｙに移動させて、図１８に示すように、一記録ライン当りのピッチを、補間前のピッチＰから補間後のピッチＰ１にしてピッチ量を増やすことで、図１８の補間後の状態に示すように、伸び分Ｘを各記録レーザチャンネルＣｈ１，Ｃｈ２，Ｃｈ３，・・・Ｃｈ（Ｎ）の記録エリアの記録ラインＬ１〜Ｌ４に均等に分散して最終記録ラインＬ４後の記録画像の隙間Ｆの発生を抑える。
【０１０６】
また、ステップＴ７において、システムコントロール部２４からＫ＜０である制御信号が機構コントロール部２７に送られ、機構コントロール部２７は副走査モータ７の送り速度ダウン補正を行う場合には、ステップＴ８からステップＴ１４に至るフローが実行されるが、機構コントロール部２７が副走査モータドライバー２６に送り速度ダウンの補正をした駆動信号を出力するために、ステップＳ８において、これらの結果を踏まえて、記録開始位置（書出し位置）へ光記録ヘッドＨを移動し、ステップ１０において副走査モータ７の回転を遅くする制御が行なわれ、光記録ヘッドＨ（記録マガジン３）の送り速度が遅くなる。
【０１０７】
したがって、狭まったレーザチャンネル間ピッチＡ−Ｘである状態を通常のレーザチャンネル間ピッチＡに見合うように、光記録ヘッドＨを、通常の送り速度より遅い速度で副走査方向Ｙに移動させて、図１９に示すように、一記録ライン当りのピッチを、補間前のピッチＰから補間後のピッチＰ２にしてピッチ量を減らすことで、図１９の補間後の状態に示すように、縮み分Ｘを各記録レーザチャンネルＣｈ１，Ｃｈ２，Ｃｈ３，・・・Ｃｈ（Ｎ）の記録エリアの記録ラインＬ１〜Ｌ４に均等に分散して最終記録ラインＬ４後の記録画像のオーバーラップ部Ｇの発生を抑える。
【０１０８】
次に、副走査部のボールねじ３３の温度変化による伸び・縮みをパラメーターとして、副走査制御を行なう制御フローチャートを、図１７を参照して説明する。
【０１０９】
処理が開始されると、副走査部のボールねじ３３の温度測定が行なわれる（ステップＶ１）。すなわち、温度検出回路３１により記録ヘッドＨの近傍温度が検出されてボールねじの温度が検出され、検出結果がシステムコントロール部２４に送られる。
【０１１０】
次に、システムコントロール部２４において、ボールねじ３３の検出温度に基づいて、このボールねじ３３の温度変化によりボールねじ３３がどれだけ膨張したか、もしくはどれだけ収縮したかを表わす差分Ｍ（＋Ｍ，−Ｍ）が決定される（ステップＶ２）。この場合、ボールねじ３３が差分（＋Ｍ）だけ伸びればボールねじ３３の回転を遅くする必要があり、差分（−Ｍ）だけ縮めばボールねじ３３の回転を速くする必要がある。
【０１１１】
次に、システムコントロール部２４において、ボールねじ３３の差分Ｍが基準温度におけるボールねじ３３の差分（Ｍ＝０）と比較される（ステップＶ３）。そして、比較結果がＭ＝０の場合には、図１２に示すように、各記録レーザチャンネルＣｈ１，Ｃｈ２，Ｃｈ３，・・・Ｃｈ（Ｎ）の記録エリア間に記録画像の隙間Ｆが発生することがないし、記録画像のオーバーラップ部Ｇが発生することがない。したがって、システムコントロール部２４から副走査モータ７の速度補正制御信号ではなく、通常の制御信号が機構コントロール部２７に送られることになる（ステップＶ４）。
【０１１２】
また、ステップＶ３において、比較結果がＭ＞０の場合には（ステップＶ５）、ボールねじを同じ量回転させてもボールネジ３３のねじピッチが拡大ているためレーザユニット２の副走査方向への移動距離が大きくなり、この移動距離が大きくなることにより、記録ラインＬ１〜Ｌ４のピッチが大きくなる。この場合、各記録レーザチャンネルＣｈ１，Ｃｈ２，Ｃｈ３，・・・Ｃｈ（Ｎ）の記録エリアの最終記録ラインＬ４後に図１４に示すような記録画像のオーバーラップ部Ｇが発生する。このために、システムコントロール部２７からＭ＞０である制御信号が機構コントロール部２７に送られ、機構コントロール部２７は副走査モータ７の送り速度ダウン補正を副走査モータドライバー２６に指令することになる（ステップＶ６）。
【０１１３】
また、ステップＶ５において、比較結果がＭ＜０の場合には、ボールねじを同じ量回転させてもボールネジ３３のねじピッチが狭まっているためレーザユニット２の副走査方向への移動距離が少なくなり、この移動距離が少なくなることにより、記録ラインＬ１〜Ｌ４のピッチが小さくなる。この場合、各記録レーザチャンネルＣｈ１，Ｃｈ２，Ｃｈ３，・・・Ｃｈ（Ｎ）の記録エリア間に図１３に示すような記録画像の隙間Ｆが発生するようになる。このために、システムコントロール部２４からＭ＜０である制御信号が機構コントロール部２７に送られ、機構コントロール部２７は副走査モータ７の送り速度アップ補正を副走査モータドライバー２６に指令することになる（ステップＶ７）。そして、上記したステップＶ１からステップＶ７に至るフローは処理Ｂ−３を構成している。
【０１１４】
ステップＶ４において、通常の制御信号が機構コントロール部２７に送られるために、機構コントロール部２７が副走査モータドライバー２６に駆動信号を出力することにより、この副走査モータドライバー２６が作動して副走査モータ７が起動し、記録マガジン３が副走査方向Ｙに移動して、各記録レーザチャンネルＣｈ１，Ｃｈ２，Ｃｈ３，・・・Ｃｈ（Ｎ）が記録開始位置（書出し位置）に移動する（ステップＶ８）。
【０１１５】
次に、機構コントロール部２５が主走査モータドライバー２５に駆動信号を出力することにより、この主走査モータドライバー２５が作動して主走査モータ６が起動し、ドラム５が主走査方向Ｘに回転を開始する（ステップＶ９）。
【０１１６】
次に、機構コントロール部２７が副走査モータドライバー２６に駆動信号を出力することにより、この副走査モータドライバー２６が作動して副走査モータ７が起動し、記録マガジン３が副走査方向Ｙに送りを開始して、各記録レーザチャンネルＣｈ１，Ｃｈ２，Ｃｈ３，・・・Ｃｈ（Ｎ）が移動する（ステップＶ１０）。
【０１１７】
各記録レーザチャンネルＣｈ１，Ｃｈ２，Ｃｈ３，・・・Ｃｈ（Ｎ）に対応したレーザユニット２はレーザビーム１２ｃを発生する。すなわち、レーザチップ１２ａより射出されたレーザ光は、光学系１３によりレーザビーム１２ｃとなって、プレート４の表面に集光される。したがって、各記録ラインＬ１〜Ｌ４に記録画像が記録される。
【０１１８】
次に、規定ライン全てに記録が行われたか否かが判定され（ステップＶ１１）、判定結果、規定ライン全てに記録が行われた場合には、ドラム５の回転が停止され（ステップＶ１２）、次に、記録マガジン３の副走査方向Ｙへの送りが停止されて（ステップＶ１３）、処理が終了することになる。
【０１１９】
なお、ステップＶ１１において、判定結果、規定ライン全てに記録が行われない場合には、再び、上記した処理Ｂ−３が実施されることになる（ステップＶ１４）。すなわち、記録中にボールねじ３３の温度検出が行なわれて、ボールねじ３３の温度変化による差分Ｍ（＋Ｍ１，−Ｍ１）の計算を行い、副走査モータ７の速度制御が行なわれる。この処理Ｂ−３が実施され、再び、規定ライン全てに記録が行われたか否かが判定され（ステップＶ１１）、ステップＶ１２、ステップＶ１３が実行される。
【０１２０】
また、ステップＶ６において、システムコントロール部２４からＭ＞０である制御信号が機構コントロール部２７に送られ、機構コントロール部２７は副走査モータ７の送り速度ダウン補正を行う場合には、ステップＶ８からステップＶ１４に至るフローが実行されるが、機構コントロール部２７が副走査モータドライバー２６に送り速度ダウンの補正をした駆動信号を出力するために、ステップＳ８において、これらの結果を踏まえて、記録開始位置（書出し位置）へ光記録ヘッドＨを移動し、ステップＶ１０において副走査モータ７の回転を遅くする制御が行なわれ、記録マガジン３の送り速度はＭ＝０の場合と同じ速度になる。
【０１２１】
したがって、最終記録ラインＬ４後の記録画像のオーバーラップ部Ｇの発生を抑える。
【０１２２】
また、ステップＶ７において、システムコントロール部２４からＭ＜０である制御信号が機構コントロール部２７に送られ、機構コントロール部２７は副走査モータ７の送り速度アップ補正を行う場合には、ステップＶ８からステップＶ１４に至るフローが実行されるが、機構コントロール部２７が副走査モータドライバー２６に送り速度アップの補正をした駆動信号を出力するために、ステップＶ１０において副走査モータ７の回転を速くする制御が行なわれ、記録マガジン３の送り速度はＭ＝０の場合と同じ速度になる。
【０１２３】
したがって、最終記録ラインＬ４後の記録画像の隙間Ｆの発生を抑える。
【０１２４】
以上説明したように、本発明の実施の形態によれば、温度検出回路３１が光記録ヘッドＨの近傍温度を検出して、制御手段が、温度検出回路３１の検出温度に応じて光記録ヘッドＨの副走査方向への移動速度を変えることができるために、拡大したレーザチャンネル間ピッチＡ＋Ｘである状態を通常のレーザチャンネル間ピッチＡに見合うように、光記録ヘッドＨを、通常の送り速度より速い速度で副走査方向Ｙに移動させて、図１８に示すように、一記録ライン当りのピッチを、補間前のピッチＰから補間後のピッチＰ１にしてピッチ量を増やすことで、図１８の補間後の状態に示すように、伸び分Ｘを各記録レーザチャンネルＣｈ１，Ｃｈ２，Ｃｈ３，・・・Ｃｈ（Ｎ）の記録エリアの記録ラインＬ１〜Ｌ４に均等に分散して最終記録ラインＬ４後の記録画像の隙間Ｆの発生を抑えることができるし、また、狭まったレーザチャンネル間ピッチＡ−Ｘである状態を通常のレーザチャンネル間ピッチＡに見合うように、光記録ヘッドＨを、通常の送り速度より遅い速度で副走査方向に移動させて、図１９に示すように、一記録ライン当りのピッチを、補間前のピッチＰから補間後のピッチＰ２にしてピッチ量を減らすことで、図１９の補間後の状態に示すように、縮み分Ｘを各記録レーザチャンネルＣｈ１，Ｃｈ２，Ｃｈ３，・・・Ｃｈ（Ｎ）の記録ラインＬ１〜Ｌ４に均等に分散して最終記録ラインＬ４後の記録画像のオーバーラップ部Ｇの発生を抑えることができる。
【０１２５】
このために、複数のレーザユニット２の間隔（レーザチャンネル間ピッチ）が変化しても、レーザユニット２の記録位置のずれである記録画像の隙間Ｆや、記録画像のオーバーラップ部Ｇの発生を抑えて記録画像の乱れを軽減することができる。
【０１２６】
また、本発明の実施の形態によれば、温度検出回路３１が光記録ヘッドＨの近傍温度を検出して、制御手段は、温度検出回路３１の検出温度に応じてボールねじ３３の回転速度を変えて光記録ヘッドＨの副走査方向Ｙへの移動速度を変えることができる。すなわち、ボールねじ３３が差分（＋Ｍ）だけ伸びれば（Ｍ＞０の場合）、副走査モータ７の回転を遅くする制御が行なわれ、記録マガジン３の送り速度がＭ＝０の場合と同じ速度になり、記録画像のオーバーラップ部Ｇの発生を抑えることができる。
【０１２７】
また、ボールねじ３３が差分（−Ｍ）だけ縮めば（Ｍ＜０の場合）、副走査モータ７の回転を速くする制御が行なわれ、記録マガジン３の送り速度がＭ＝０の場合と同じ速度になり、記録画像の隙間Ｆの発生を抑えることができる。
【０１２８】
このために、ボールねじ３３のねじピッチが変化しても、レーザユニット２の記録位置のずれである記録画像の隙間Ｆや、記録画像のオーバーラップ部Ｇの発生を抑えて記録画像の乱れを軽減することができる。
【０１２９】
また、本発明の実施の形態によれば、温度検出回路３１が光記録ヘッドＨの近傍温度を検出して、複数のレーザユニット２を等間隔に配列支持する記録マガジン３の熱膨張係数がボールねじ３３の熱膨張係数より大きい場合、制御手段が、温度検出回路３の検出温度が基準温度より上昇するとボールねじ３３の回転速度を速くし、検出温度が基準温度より低下するとボールねじ３３の回転速度を遅くするように、温度検出回路３３の検出温度に応じてボールねじ３３の回転速度を変えて光記録ヘッドＨの副走査方向への移動速度を変えることができるために、例えば、拡大したレーザチャンネル間ピッチＡ＋Ｘである状態を通常のレーザチャンネル間ピッチＡに見合うように、光記録ヘッドＨを、通常の送り速度より速い速度で副走査方向Ｙに移動させて、図１８に示すように、一記録ライン当りのピッチを、補間前のピッチＰから補間後のピッチＰ１にしてピッチ量を増やすことで、図１８の補間後の状態に示すように、伸び分Ｘを各記録レーザチャンネルＣｈ１，Ｃｈ２，Ｃｈ３，・・・Ｃｈ（Ｎ）の記録エリアの記録ラインＬ１〜Ｌ４に均等に分散して最終記録ラインＬ４後の記録画像の隙間Ｆの発生を抑えることができる。
【０１３０】
また、狭まったレーザチャンネル間ピッチＡ−Ｘである状態を通常のレーザチャンネル間ピッチＡに見合うように、光記録ヘッドを、通常の送り速度より遅い速度で副走査方向に移動させて、図１９に示すように、一記録ライン当りのピッチを、補間前のピッチＰから補間後のピッチＰ２にしてピッチ量を減らすことで、図１９の補間後の状態に示すように、縮み分Ｘを各記録レーザチャンネルＣｈ１，Ｃｈ２，Ｃｈ３，・・・Ｃｈ（Ｎ）の記録ラインＬ１〜Ｌ４に均等に分散して最終記録ラインＬ４後の記録画像のオーバーラップ部Ｇの発生を抑えることができる。
【０１３１】
このために、複数のレーザユニット２の間隔（レーザチャンネル間ピッチ）やボールねじ３３のねじピッチが変化しても、レーザユニット２の記録位置のずれである記録画像の隙間Ｆや、記録画像のオーバーラップ部Ｇの発生を抑えて記録画像の乱れを軽減することができる。
【０１３２】
また、本発明の実施の形態によれば、温度検出回路３１が光記録ヘッドＨの近傍温度を検出して、制御手段が記録マガジン３の熱膨張係数がボールねじ３３の熱膨張係数より小さい場合、温度検出回路３１の検出温度が基準温度より上昇するとボールねじ３３の回転速度を遅くし、温度検出回路３１の検出温度が基準温度より低下するとボールねじ３３の回転速度を速くするように、温度検出回路３１の検出温度に応じてボールねじ３３の回転速度を変えて光記録ヘッドＨの副走査方向Ｙへの移動速度を変えることができる。
【０１３３】
このように、ボールねじ３３の回転速度を遅く制御することにより光記録ヘッドＨの副走査方向Ｙへの移動速度を遅くして最終記録ラインＬ４後の記録画像のオーバーラップ部Ｇの発生を抑えることができる。
【０１３４】
また、ボールねじ３３の回転速度を速く制御することにより光記録ヘッドＨの副走査方向Ｙへの移動速度を速くして最終記録ラインＬ４後の記録画像の隙間Ｆの発生を抑えるこができる。
【０１３５】
このために、複数のレーザユニット２の間隔（レーザチャンネル間ピッチ）やボールねじ３３のねじピッチが変化しても、レーザユニット２の記録位置のずれである記録画像の隙間Ｆや、記録画像のオーバーラップ部Ｇの発生を抑えて記録画像の乱れを軽減することができる。
【０１３６】
また、本発明の実施の形態によれば、温度検出回路３１は、プレート４に画像を記録する前に、光記録ヘッドＨの近傍温度を検出して、制御手段が、温度検出回路３１の検出温度に応じて光記録ヘッドＨの副走査方向Ｙへの移動速度を変えることができる。したがって、最初に温度検出回路３１で光記録ヘッドＨの近傍温度を検出し、制御手段により光記録ヘッドＨの移動速度を決定し、この初期段階の決定条件で記録処理を行なうことができる。
【０１３７】
この場合、例えば、拡大したレーザチャンネル間ピッチＡ＋Ｘである状態を通常のレーザチャンネル間ピッチＡに見合うように、光記録ヘッドＨを、通常の送り速度より速い速度で副走査方向Ｙに移動させて、図１８に示すように、一記録ライン当りのピッチを、補間前のピッチＰから補間後のピッチＰ１にしてピッチ量を増やすことで、図１８の補間後の状態に示すように、伸び分Ｘを各記録レーザチャンネルＣｈ１，Ｃｈ２，Ｃｈ３，・・・Ｃｈ（Ｎ）の記録エリアの記録ラインＬ１〜Ｌ４に均等に分散して最終記録ラインＬ４後の記録画像の隙間Ｆの発生を抑えることができるし、また、例えば、狭まったレーザチャンネル間ピッチＡ−Ｘである状態を通常のレーザチャンネル間ピッチＡに見合うように、光記録ヘッドＨを、通常の送り速度より遅い速度で副走査方向に移動させて、図１９に示すように、一記録ライン当りのピッチを、補間前のピッチＰから補間後のピッチＰ２にしてピッチ量を減らすことで、図１９の補間後の状態に示すように、縮み分Ｘを各記録レーザチャンネルＣｈ１，Ｃｈ２，Ｃｈ３，・・・Ｃｈ（Ｎ）の記録ラインＬ１〜Ｌ４に均等に分散して最終記録ラインＬ４後の記録画像のオーバーラップ部Ｇの発生を抑えることができる。
【０１３８】
このために、複数のレーザユニット２の間隔（レーザチャンネル間ピッチ）やボールねじ３３のねじピッチが変化しても、レーザユニット２の記録位置のずれである記録画像の隙間Ｆや、記録画像のオーバーラップ部Ｇの発生を抑えて記録画像の乱れを軽減することができる。
【０１３９】
また、本発明の実施の形態によれば、光記録ヘッドＨの移動中に、温度検出回路３１は光記録ヘッドＨの近傍温度を検出して、制御手段が、温度検出回路３１の検出温度に応じて光記録ヘッドＨの副走査方向Ｙへの移動速度を変えることができるために、例えば、拡大したレーザチャンネル間ピッチＡ＋Ｘである状態を通常のレーザチャンネル間ピッチＡに見合うように、光記録ヘッドＨを、通常の送り速度より速い速度で副走査方向Ｙに移動させて、図１８に示すように、一記録ライン当りのピッチを、補間前のピッチＰから補間後のピッチＰ１にしてピッチ量を増やすことで、図１８の補間後の状態に示すように、伸び分Ｘを各記録レーザチャンネルＣｈ１，Ｃｈ２，Ｃｈ３，・・・Ｃｈ（Ｎ）の記録エリアの記録ラインＬ１〜Ｌ４に均等に分散して最終記録ラインＬ４後の記録画像の隙間Ｆが発生しないようになるし、また、例えば、狭まったレーザチャンネル間ピッチＡ−Ｘである状態を通常のレーザチャンネル間ピッチＡに見合うように、光記録ヘッドを、通常の送り速度より遅い速度で副走査方向に移動させて、図１９に示すように、一記録ライン当りのピッチを、補間前のピッチＰから補間後のピッチＰ２にしてピッチ量を減らすことで、図１９の補間後の状態に示すように、縮み分Ｘを各記録レーザチャンネルＣｈ１，Ｃｈ２，Ｃｈ３，・・・Ｃｈ（Ｎ）の記録ラインＬ１〜Ｌ４に均等に分散して最終記録ラインＬ４後の記録画像のオーバーラップ部Ｇが発生しないようになる。
【０１４０】
このために、複数のレーザユニット２の間隔（レーザチャンネル間ピッチ）やボールねじ３３のねじピッチが変化しても、レーザユニット２の記録位置のずれである記録画像の隙間Ｆや、記録画像のオーバーラップ部Ｇの発生を抑えて記録画像の乱れを軽減することができる。
【産業上の利用可能性】
【０１４１】
本発明に係る画像記録装置は、複数のレーザユニットの間隔（レーザチャンネル間ピッチ）やボールねじ３３のねじピッチが変化しても、レーザユニットの記録位置のずれである記録画像の隙間Ｆや、記録画像のオーバーラップ部Ｇの発生を抑えて記録画像の乱れを軽減することができるという効果を有しており、プレートに高解像度の画像を高速で形成する画像記録装置等に最適である。
【図面の簡単な説明】
【０１４２】
【図１】本発明に係る画像記録装置の正面図
【図２】同画像記録装置の一部省略した斜視図
【図３】本発明に係る光記録ヘッドのユニット本体の斜視図
【図４】同ユニット本体の正面図
【図５】同ユニット本体に設けられたレーザユニットの配列を示す説明図
【図６】同ユニット本体を複数配列した状態の正面図
【図７】同光記録ヘッドの側面図
【図８】図７のＤ−Ｄ線に沿う拡大断面図
【図９】ユニット本体とドラムの位置関係の説明図
【図１０】本発明に係る画像記録装置の画像記録制御手段のブロック図
【図１１】記録制御手段のブロック図
【図１２】通常時のレーザチャンネルと記録ピッチの関係を表わす説明図
【図１３】レーザチャンネル間ピッチに伸びが発生した時のレーザチャンネルと記録ピッチの関係を表わす説明図
【図１４】レーザチャンネル間ピッチに縮みが発生した時のレーザチャンネルと記録ピッチ
【図１５】記録マガジン及び副操作部のボールねじの温度変化による伸び・縮みをパラメーターとして、副走査制御を行なう制御フローチャート
【図１６】記録マガジンの温度変化による伸び・縮みをパラメーターとして、副走査制御を行なう制御フローチャート
【図１７】副走査部のボールねじの温度変化による伸び・縮みをパラメーターとして、副走査制御を行なう制御フローチャート
【図１８】レーザチャンネル間ピッチが伸びた場合の記録ピッチ補間を表わす説明図
【図１９】レーザチャンネル間ピッチが縮んだ場合の記録ピッチ補間を表わす説明図
【符号の説明】
【０１４３】
１      ユニット本体
２      レーザユニット
３      記録マガジン（支持部材）
５      ドラム
６      主走査制御手段
７      副走査制御手段
１２    レーザパッケージ
１２ａ  レーザチップ
１２ｂ  モニタ光（戻り光）
１２ｃ  レーザビーム
１３    光学系
１４    フォトディテクタ
２０    画像記録制御手段
２２    画像サーバ
２３    インタフェース部
２４    システムコントロール部
２５    機構コントロール部
２６    メモリ（ページメモリまたはラインメモリ）
２７    信号セレクタ
３０    マイクロコンピュータ（制御手段）
３１    温度検出回路（温度温度検出手段）
３２    スライドブロック（副走査部）
３３    ボールねじ（送りねじ部材）（副走査部）
Ｆ      隙間
Ｇ      オーバーラップ部
Ｈ      光記録ヘッド
Ｋ      差分
Ｍ      差分
【図１】
2009104004.tif 000003
【図２】
2009104004.tif 000004
【図３】
2009104004.tif 000005
【図４】
2009104004.tif 000006
【図５】
2009104004.tif 000007
【図６】
2009104004.tif 000008
【図７】
2009104004.tif 000009
【図８】
2009104004.tif 000010
【図９】
2009104004.tif 000011
【図１０】
2009104004.tif 000012
【図１１】
2009104004.tif 000013
【図１２】
2009104004.tif 000014
【図１３】
2009104004.tif 000015
【図１４】
2009104004.tif 000016
【図１５】
2009104004.tif 000017
【図１６】
2009104004.tif 000018
【図１７】
2009104004.tif 000019
【図１８】
2009104004.tif 000020
【図１９】
2009104004.tif 000021